Podtech/llm-jp-corpus-v4-ja_patent huggingface dataset:
(57)【要約】【課題】本発明は、ＬＥＤを多数用いることによって周辺の温度が上昇し発光効率が低下するのをＬＥＤの数を多くしなくとも発光効率が保もてコストも上昇することのないＬＥＤ照明器具を確保する点にある。【解決手段】本発明はＬＥＤを用いて該ＬＥＤを発光させる機能を搭載したＬＥＤ照明管であって、当該ＬＥＤ照明管の端子側の内部を光の反射効率が高い材料或いは他の光の反射効率が高い部材を配してなることを特徴としたＬＥＤ照明器具。【選択図】図２
2010102832.tif 000002
【特許請求の範囲】
【請求項１】
ＬＥＤを用いて該ＬＥＤを発光させる機能を搭載したＬＥＤ照明管であって、当該ＬＥＤ照明管の端子側の内部を光の反射効率が高い材料或いは他の光の反射効率が高い部材を配してなることを特徴としたＬＥＤ照明器具。
【発明の詳細な説明】
【技術分野】
【０００１】
本発明は、例えば天井に取り付けられた長尺の蛍光灯照明器具の蛍光灯をＬＥＤ照明管に交換して照明器具としたＬＥＤ照明器具に関するものである。
【背景技術】
【０００２】
最近、電力消費が桁違いに低く長寿命のＬＥＤが開発されているが、このＬＥＤを長尺な蛍光灯に変えて使用することが加速されている。このＬＥＤ照明管は複数のＬＥＤを平板な基盤に配列搭載し、之を当該ＬＥＤを発光させる機能とともに長尺な合成樹脂製のパイプに設置して照明を行うものである。
【０００３】
此のような構造を採用したＬＥＤ照明管は幾つものＬＥＤを所望の光量を得るために用いる為に其の数量が多くなりコストが高くなるばかりか、ＬＥＤが多数である為に発熱による高温化でＬＥＤの発光効率が落ちることになる。
従って、構造を簡単にして強度を保ち、少ないＬＥＤによっていかに明るくできるか、いかに局所的なＬＥＤ光の分散ができるかがＬＥＤ照明器具の要請になっている。
【０００４】
特許文献１は以上のことについて配慮されておらず、光量を多く得るためにＬＥＤを多く用いその為に周囲が高温になりＬＥＤ発光効率が落ち、しかもコスト上昇となる改良は未だなされていないのが現状で、従来の長尺な蛍光管をＬＥＤ照明管に交換しようとする現場の強い要請が多くあがっている。
【０００５】
特許文献１には、以上のことを配慮するような記述も無く他のものにも開示されていないのが現状である。
【特許文献１】特開２００８−６６０４３号公報
【発明の開示】
【発明が解決しようとする課題】
【０００６】
本発明が解決しようとする問題点は、ＬＥＤを多数用いることによって周辺の温度が上昇し発光効率が低下するのをＬＥＤの数を多くしなくとも発光効率が保もてコストも上昇すること無く、ＬＥＤ光の分散が計れ構造も簡単で強度も保てるＬＥＤ照明器具を確保する点にある。
【発明の効果】
【０００７】
請求項１記載の発明によれば、ＬＥＤ照明管の端子側内部を発光効率の高い材料とするか、他の部材を配置することによって、ＬＥＤの発光をこれによって反射でき、従ってＬＥＤ照明管の管内を廣く明るくでき、使用するＬＥＤ個数も少なくできＬＥＤ光りの局所的な光りを分散できる効果があるＬＥＤ照明器具を提供できる。
【発明を実施するための最良の形態】
【０００８】
本発明は、ＬＥＤ基盤のＬＥＤが配置されない端子側の内部を反射効率が高い材料で構成することでＬＥＤ個数を低減でき、コスト低減が可能で実用上有効である、又これによってＬＥＤの局所的光りが分散し柔らかい配光が実現できる。
【０００９】
本発明は、ＬＥＤを多数用いずに十分に明るくできコストも低廉で構造も簡単なものである。またＬＥＤ光の局所的なものを分散でき穏やかな配光を実現できるものである。
【実施例】
【００１０】
以下に、本発明の実施例を図１、図２を参照して詳細に説明する。図１は図２のＡ−Ａ線断面で断面は円形に現れている。１はＬＥＤ基盤で、該基盤１には必要数のＬＥＤ２が配置されている。此のＬＥＤ基盤１は長尺で合成樹脂製からなるチューブ状のＬＥＤ照明管本体３の棚部４に挿入配置されている。
【００１１】
この棚部４はＬＥＤ照明管本体３を製造する際に同時に製造されたもので、上下から前記ＬＥＤ基盤１を挟むことができる寸法とＬＥＤ基盤１を支持できる強度を保っている。
又、ＬＥＤ基盤１はＬＥＤ照明管本体３の直径より短い箇所に位置し、ＬＥＤ２及び其の他の電子部品の重量を支えるのに前記ＬＥＤ基盤１が撓むことが無いような寸法に設定してある。
【００１２】
前記ＬＥＤ照明管本体３の両端子５側の内部には鏡面に加工した反射効率の高い別の鏡面部所６を配置するか、或いは反射効率の高い材料を直接用いるかして構成している。
従って、ＬＥＤ基盤１のＬＥＤ２の光りは鏡面部材６によって反射されＬＥＤ光とともに前方に照明される。此の場合、反射部材６はフイルム状であったり、塗布したりその他の手段で反射面を形成してもよい。前記端子５は、従来の蛍光灯の受口に挿入される端子で、７はＬＥＤ２の発光を機能させる電子回路等である。
【産業上の利用可能性】
【００１３】
本発明は、ＬＥＤ２の発光をＬＥＤ照明管本体３の内部端にある鏡面部材６で反射させるように構成したので、従来、光が吸収されるところで反射されるので一層光量がまし、従ってＬＥＤ個数の低減を図ることができるものである。同時にＬＥＤ使用数の低減でコストも押さえることができる等産業上有効である。
【図面の簡単な説明】
【００１４】
【図１】本発明の実施例に係わる図２のＡ−Ａ線断面図
【図２】本発明の実施例に係わるＬＥＤ照明管本体の概略構成図である。
【符号の説明】
【００１５】
１            ＬＥＤ基盤
２            ＬＥＤ
３            ＬＥＤ照明管本体
４            棚部
５            端子
６            鏡面部材
７            電子回路等
【図１】
2010102832.tif 000003
【図２】
2010102832.tif 000004
(57)【要約】【課題】  飲料水の缶やペットボトルを自動販売機に１本づつ入れるのではなく、箱ごと、又は、数本を自動販売機への投入具図１に入れ、連続して投入すると時間の短縮と労力を軽減することのできる缶、ペットボトルの自動販売機への投入具を提供する。【解決手段】  飲料水の缶やペットボトルの箱を投入具図１に入れ、飲料水の缶やペットボトルが転げ落ちて、ストッパーの爪１３と前面壁１０，１１で止まる。このストッパーの爪１３を後方のストッパーの爪回転レバー７を回転させると飲料水の缶やペットボトルを止めていたストッパーの爪１３が外れて，飲料水の缶やペットボトルが転げ落ちるようにした自動販売機への投入具である。側壁９，１６の間の幅が伸縮できる。【選択図】図１
2010102672.tif 000002
【特許請求の範囲】
【請求項１】
缶やペットボトルの最初の缶を止めたり、転げ落としたりするストッパーの爪がある缶やペットボトルの自動販売機への投入具。
【請求項２】
缶やペットボトルの高さにより箱の幅を調節することできる飲料水缶やペットボトルの自動販売機への投入具。
【請求項３】
缶やペットボトルの投入具を折りたたむことができる缶やペットボトルの自動販売機への投入具。
【請求項４】
缶やペットボトルの投入具に飲料水缶やペットボトルの仕切り板のある缶やペットボトルの自動販売機への投入具。
【発明の詳細な説明】
【発明の詳細な説明】
【技術分野】
【０００１】  この考案は、自動販売機に飲料水缶やペットボトルを入れる投入具に関するものである。
【背景技術】
【０００２】  従来は、飲料水の缶やペットボトルを手で一本づつ自動販売機に入れるだけであった。
【発明が解決しようとする課題】
【０００３】  従来は、飲料水の缶やペットボトルを手で１本、１本自動販売機に入れていた。
これには次のような欠点があった。
イ，缶やペットボトルを手で１本づつ自動販売機に入れるので、時間がかかる。
ロ，缶やペットボトルを手で１本づつ持ち上げて自動販売機に入れるので労力がかかる。
本発明は、以上の欠点を解決するためになされたものである。
【課題を解決するための手段】
【０００４】  上記の問題点を解決するために，本発明は、飲料水の缶やペットボトルを手で１本づつ入れるのではなく、箱ごと、又は、数本の飲料水の缶やペットボトルを飲料水の缶やペットボトルの図１のＵ形投入具に入れ、自動販売機の投入口に飲料水の缶やペットボトルの投入具の１や２を引きかけて留め、投入具の後方を上げて傾斜をつけストツッパーの爪１３で止め、このストツッパーの爪１３をストッパー爪外しレバー７を回転して外すと飲料水缶やペットボトルが１本づつ転げ落ちるようにしたことを特徴とする。
【発明を実施するための最良の形態】
【０００５】  本発明は、図１のＵ形の箱に前面に缶止めの前壁１０，１１があり、この間を缶が通る空間１９がある。その下に缶を止めるストッパーの爪１３がある。このＵ形の空間に、飲料水の缶入りの箱やペットボトル入りの箱の上部半分の開けてある箱開口部を下にして入れ、投入具の後方を持ち上げると飲料水の缶やペットボトルが転げ落ち、飲料水の缶やペットボトルは、前面の缶止めの前壁１０，１１と缶を止めるストッパーの爪１３で止まる。
この飲料水缶やペットボトル投入具図１を自動販売機の投入口に引っ掛けて１，２で留める。この飲料水缶やペットボトルのストッパーの爪１３のストッパーの爪回転レバー７を回転させて、ストッパーの爪１３を外すと飲料水の缶やペットボトルが転げ落ちて、自動販売機に投入される。自動販売機に数本の飲料水の缶やペットボトルを投入する場合は、飲料水缶やペットボトの投入具のＵ形の側壁にＴ形の仕切り板図６を取り付け使用する。缶やペットボトルの高さにより、Ｕ形の底面にある側壁のＴ形の形状であるから二重である上底板１５と下底板３９の間から引き出すとＵ形の側壁９，１６が広がりＵ形の箱の幅を調節することできるので、大きさの違う飲料水缶やペットボトルを自動販売機へ投入することができる。また、使用しない時は折りたたみ場所をとらないようにすることができる。
【発明の効果】
【０００６】  飲料水の缶やペットボトルを手で１本づつ入れるのではなく、箱ごと、又は、数本の飲料水缶やペットボトルを飲料水の缶やペットボトル投入具図１に入れ、自動販売機の投入口に引っ掛け１，２，飲料水缶やペットボトルの投入具図１の後方を持ち上げると、飲料水缶やペットボトルがストッパーの爪１３と前壁１０，１１で止まる。このストッパーの爪１３をストッパー回転レバー７を回転して外すと飲料水の缶やペットボトルが転げ落ちて、自動販売機に投入されるので時間がかからない。また、短時間で投入が終わるので労力がかからない。投入具の側壁９，１６の伸縮でＵ形の底面１５の幅を変動させることができるので大きさの違う飲料水缶やペットボトルを自動販売機へ投入することができる。また、使用しない時は折りたたむことができるので場所をとらないようにすることができる。
【図面の簡単な説明】
【図１】    本発明の斜視図である。
【図２】    本発明の前壁面の斜視図である。
【図３】    本発明の底面の下方よりの斜視図である。
【図４】    本発明の底面の断面図である。
【図５】    本発明の底面の上方よりの正面図である。
【図６】    本発明の仕切り板の斜視図である。
【図７】    本発明の仕切り板の使用状態を表す斜視図である。
【図８】    本発明の仕切り板の使用状態を表す正面図である。
【符号の明細】
１自動販売機投入口乗せ掛け板    ２自動販売機投入口引き掛け板    ３前方側面蝶番    ４ストッパー爪シャフト    ５握り棒    ６後方側面蝶番    ７ストッパー爪外しレバー    ８ストッパー爪引きバネ    ９左側板    １０缶止め左前壁    １１缶止め右前壁    １２前壁蝶番    １３ストッパー爪    １４ストッパー爪出入り口    １５上底板    １６右側板    １７前壁スライド口    １８スライド止めねじ    １９缶・ペットボトル投入口    ２０前シャフト固定具    ２１後シャフト固定具    ２２缶・ペットボトル仕切板    ２３仕切板側板掛け上板    ２４仕切板側板掛け側板    ２５仕切板側板掛け内側板    ２６右側板拡大腕前止めねじ    ２７右側板拡大腕後止めねじ    ２８右側板後拡大腕木    ２９右側板前拡大腕木    ３０拡大具シャフト    ３１拡大具ハンドル    ３２左側板後拡大腕木    ３３左側板拡大腕後止めねじ    ３４左側板拡大腕前止めねじ    ３５左側板前拡大腕木    ３６後腕木連結ナット    ３７前腕木連結ナット    ３８上底板下底板連結板    ３９下底板    ４０右側板拡張板    ４１左側板拡張板
【図１】
2010102672.tif 000003
【図２】
2010102672.tif 000004
【図３】
2010102672.tif 000005
【図４】
2010102672.tif 000006
【図５】
2010102672.tif 000007
【図６】
2010102672.tif 000008
【図７】
2010102672.tif 000009
【図８】
2010102672.tif 000010
(57)【要約】【課題】  従来の電子書籍・電子書籍配信の、様々な不都合を解決すること。【解決手段】  生体認識・認証機能と組み合わせた、電子書籍・電子書籍配信などにより、この課題を解決する。【選択図】なし【特許請求の範囲】
【請求項１】
生体認識・認証機能と組み合わせたことを特徴とする電子書籍・電子書籍配信
【発明の詳細な説明】
【技術分野】
【０００１】  本発明は、電子書籍・電子書籍配信に関するものであり、電子書籍・電子書籍配信における様々な不都合を解決するために、生体認識・認証機能と組み合わせたものである。
【背景技術】
【０００２】  不明
【発明の開示】
【発明が解決しようとする課題】
【０００３】  従来の、電子書籍・電子書籍配信には様々な不都合があり、それを解決することを課題とする。
【課題を解決するための手段】
【０００４】  電子書籍・電子書籍配信と、生体認識・認証機能を組み合わせる。
【発明の効果】
【０００５】  電子書籍・電子書籍配信と、生体認識・認証機能を組み合わせることで、我歩画観医面罵鵜撮婦菜去り（オデチャジミタヨガルヲ万金唆経引科歩瑠き）防部値止惰・倶出広解化告陽強師制徒羅視芽聴素画機羅個能力・帆野利弩某用レ藻者疎愛を婆特費回定機際又難訓は缶李制零夜限濡癌したコンテンツ配信が可能になる。改
【発明を実施するための最良の形態】
【０００６】  電子書籍・電子書籍配信と、生体認識・認証機能を組み合わせ、ケータイ電話やヘッドマウントディスプレイ等に搭載する。
【産業上の利用可能性】
【０００７】  本発明に係る電子書籍・電子書籍配信は、工業的に量産する事が可能であるため、産業上の利用可能性を有する。
(57)【要約】【課題】    ３Ｄ映像は個別取引となっており、一カ所にコンテンツが集まっていなかっため、３Ｄ映像を必要とする映画館、テレビ局、個人、企業などは簡単に、すぐに入手することが出来なかった。【解決手段】    この発明は、ビジネスモデルとして３Ｄ映像のフリーマーケットモールとしてＩＰ技術を活用して、一カ所にコンテンツを集め、３Ｄ映像を必要とする映画館、テレビ局、個人、企業あらゆるユーザーに利便性と時間短縮、安価に映像を入手するビジネス手順として提供するものである。【選択図】図１
2010102673.tif 000002
【特許請求の範囲】
【請求項１】
個人、企業を問わず全世界で制作される３Ｄ映像を３Ｄ映像のフリーマーケットモールに集めるビジネスモデルと集まった３Ｄ映像を配信するビジネスモデルを実現するシステム
【請求項２】
３Ｄ映像のフリーマーケットモールに集まるコンテンツは大きく分けて２種類、パッケージとＬＩＶＥである。パッケージはＶＯＤに類似するシステム構成により課金配信する。ＬＩＶＥ映像についてはフリーマーケットモールから視聴希望者にブロードキャスト方式で世界に配信するビジネスモデル
【発明の詳細な説明】
【技術分野】
【０００１】  本発明は、３Ｄコンテンツの制作者の地理的条件（遠距離、時間他）の制約を取り払い、３Ｄ制作コンテンツ、３ＤＬＩＶＥ映像など、あらゆる３Ｄ映像を視聴することを可能にするものである。
【背景技術】
【０００２】  ３Ｄハイビジョン映像のＩＰ伝送技術が確立したことによって（同期伝送）世界のあらゆる地域から発信できるようになった。しかし、これまでモールとして一カ所で３Ｄ映像を管理するところがなかったため、個別取引となっていた。
【発明の開示】
【発明が解決しようとする課題】
【０００３】  これまで、３Ｄ映像は個別取引となっており、一カ所にコンテンツが集まっていなかった。このため、３Ｄ映像を必要とする映画館、テレビ局、個人、企業などは簡単に、すぐ入手することが出来なかった。
【課題を解決するための手段】
【０００４】    この発明は、ビジネスモデルとして３Ｄ映像のフリーマーケットモールとしてＩＰ技術を活用して、一カ所にコンテンツを集め、３Ｄ映像を必要とする映画館、テレビ局、個人、企業あらゆるユーザに利便性と時間短縮、安価に映像を入手する手段をビジネス手順として提供するものである。
【発明の効果】
【０００５】  一カ所にコンテンツが集まっているため、３Ｄ映像を必要とする映画館、テレビ局、個人、企業あらゆるユーザは、利便性を享受でき、取得するまでの時間を短縮でき、さらには安価に映像を入手する事が出来る。
そのため、世界中のイベント等をリアルタイムに同時受信に地理的不利を乗り越えて地元映画館等で見られる。
スピードが要求される現代社会において、映画館等も完成映画のみの上映から巨大スクリーンを最大限に利用出来るライブ３Ｄ立体ハイビジョンや家庭のハイビジョンデジタル・映像等まで、世界のいかなる場所、いかなるイベントもリアルタイム迫力で感動のイベントが瞬時に楽しめる。
【発明を実施するための最良の形態】
【実施例】
【０００６】  ＩＴとこの発明を利用することで世界中のあらゆるイベント等がリアルタイムで身近な映画館、テレビ局、個人、企業ユーザーで視聴可能になる。たとえば、サッカーなどの世界スポーツイベントやロックコンサートのライブコンサートや歌舞伎、ミュージカル、などはるばる現地に行かなくては見られないあらゆるイベント鑑賞が可能になる。
【産業上の利用可能性】
【０００７】この発明は、従来の映画館を活性化し、新企画産業に替えることが可能であると共に緊急事態発生時にも利用可能である。世界中のニュース映像をも集めることが出来る。映画業界のみならずテレビ業界において画期的な情報収集機構となる。
【図面の簡単な説明】
【０００８】
【図１】  ３Ｄ映像のフリーマーケットモール概念図
【図１】
2010102673.tif 000003
(57)【要約】【課題】日本人が増え続ける外国人との接触が多くなり、意識や慣習などの違いで問題が起きて、中でも一番の原因は言語の問題です。立会式通訳の報酬の高さが問題で顧客が個人的気軽に利用できません。各種サービスを提供する施設機関側も立会式通訳を置くと報酬額が高い事と通訳の顧客待ち時間に無駄がある事によりコスト増で競争力が低下します。【解決手段】外国人の利用又は利用の見込みがある施設機関が本通訳システムの提供側と契約して、低料金又は無料の通訳サービスを提供する事により言語問題を解決し、外国人を顧客として囲い込みする事ができ、問題をチャンスに変え、集客力アップ、売上げ増加の目的が実現できます。各種公的機関でも外国人サービスの一環として本システムを採用する事により、社会の安定、調和や国際交流に貢献できます。【選択図】なし【特許請求の範囲】
【請求項１】
携帯電話やＰＨＳを利用し通訳センターを介して外国人顧客に音声通訳サービスを提供する通訳システムと本システムの構築方法。
【請求項２】
本通訳システムの利用契約を交わした施設機関が通訳サービスを顧客サービスの一環として低料金又は無料で外国人に利用していただき、結果的にライバルに差をつけて、集客力アップ、売上増加につながる本ビジネスモデルの構想と構築方法。
【請求項３】
各種公的機関でも外国人サービスの一環として採用する事により、社会の安定、調和や国際交流に貢献できる本ビジネスモデルの構想と構築方法。
【請求項４】
携帯電話業者やＰＨＳ業者のグループ間通話無料サービスを利用する事と本通訳システムの利用をネットワーク化、地域化してスケールメリットを図る事により、低料金で手軽に利用できる仕組みとビジネスとしての安定性の確立方法。
【発明の詳細な説明】
【技術分野】
【０００１】本発明は増え続ける外国人とうまく意思の疎通が図れる事によって本サービスを採用した施設機関の販売力を強化するための新しいビジネスモデルに関する。
【背景技術】
【０００２】従来の携帯電話業者には、ソフトバンク社が提供している法人向けのホワイト法人２４やホワイト法人２４＋というサービスがあります。ビジネスグループ内通話２４時間無料です。（  非特許文献１参照。）この他、ＰＨＳ業者のウィルコム社なども同様のサービスを提供しています。
【非特許文献１】「ソフトバンク携帯電話  カタログ２００８年１０月号ｐ．４５」
【発明の開示】
【発明が解決しようとする課題】
【０００３】日本人が増え続ける外国人との接触が多くなり、意識や慣習などの違いで問題が起きて、中でも一番の原因は言語の問題です。立会式通訳の報酬の高さが問題で顧客が個人的気軽に利用できません。
各種サービスを提供する施設機関側も立会式通訳を置くと報酬額が高い事と通訳の顧客待ち時間に無駄がある事によりコスト増で競争力が低下します。
【課題を解決するための手段】
【０００４】本通訳システムの提供側は外国人の利用又は利用の見込みがある施設機関と通訳システムの利用契約（一次契約）をして、基本情報（一次基本情報）を作り随時更新します、また必要台数の携帯電話かＰＨＳを一次契約機関に貸し出し、電話番号と一次基本情報をリンクさせます。【０００５】施設機関の性質によって二つのケースが考えられます。一つは空港、港、駅、観光地、ショッピングモールなど広範囲、長時間でニーズが発生し得るケース（１）。もう一つは病院、役場などその場限りで利用するケース（２）。
ケース（１）の場合、一次契約機関が外国人客とクレジット支払条件かプリペイド条件の契約（二次契約）を結び、一次契約の電話を貸し出し、契約すると同時に国籍や通訳希望言語、通訳希望専門分野、行先予定地、宿泊予定地などの顧客データ（二次基本情報）を作成し通訳センターに送ります。その後二次契約者が必要な時に通訳センターに電話をかけます。ケース（２）の場合通訳希望者が現れた時に一次契約機関の方が一次契約した電話で通訳センターに電話をかけます。【０００６】一次契約先又は二次契約先から電話が来た場合、通訳センターのオペレーターが事前に募集した通訳者の国籍、通訳可能言語、得意とする通訳専門分野及び通訳可能な日にち、時間帯などで作成した通訳者データベースに顧客の国籍、通訳希望言語、通訳希望専門分野、その時点の日にち、時間帯など数個のキーワードを入力すれば構築されたシステムが即座に需要に合う通訳者を検索しピックアップして自動的に条件とマーチング度の高い順から上位５人に事前に決められた方式で一斉に連絡します。そして候補者の中から一番先に連絡して来た通訳者に依頼して、顧客に電話して、電話のスピーカー機能を利用すれば通訳が通訳希望者と一次契約機関の方と同時に話して通訳サービスを開始します。【０００７】本システムを誰でも気軽に利用できるようにするのに、料金や契約金を安く抑える事が重要です。携帯電話業者やＰＨＳ業者のグループ間通話無料サービスを利用する事と本通訳システムをネットワーク化、地域化してスケールメリットを図る事によって、一次契約先も二次契約先も低料金で利用でき、利用が増えれば二次契約先の通訳利用料金を無料にする事も可能です。
【発明の効果】
【０００８】今まで大体どこでも大人数の団体に対してあるいは利益幅の取れるケースのみにしか立会式通訳を付けませんでした。立会い式通訳の報酬の高さが問題でなかなか個人的に気軽に利用できませんでした。個人の外国人は基本的に自分で何とかするしかありませんでした、そのため外国旅行の二ヶ国語会話集や電子辞書式通訳機が数多く出回っていました。
今まで各種通訳システムを考えた出願は数多くありましたが、どれも通訳する事自体に着目していました。
しかし、視点を１８０度変えて、何かのサービス（人的、技術的、物的）を求めたいのに言語問題に困っている外国人にではなく、求められるサービスを提供する一次契約機関側と契約し本通訳システムを提供する事により、言語問題を解決し、困っている外国人を助ける事によって一次契約機関が今後も増え続ける外国人を顧客として囲い込みする事ができ、面倒な問題を大きなチャンスに変えて、競争力を高めて、ライバルに打ち勝つ、売り上げアップの目的が実現できる。この新しいビジネスモデルこそが私の発明です。通訳システムの技術よりも、ビジネスモデルとしての構想と構築方法が一番のポイントです。このビジネスモデルを発展させて行けば、近い将来、本通訳システムを採用している事を示すステッカーや標識が一種のステーダスのような物になり、その施設、機関、店舗なら外国人が安心かつ手軽に利用できる象徴的な物になります。ライバルと差別化でき、売上げ増加のための大きな武器になる事は間違いありません。【０００９】各種公的機関でも外国人サービスの一環として本システムを採用する事により、社会の安定、調和や国際交流に貢献できます。【００１０】  このビジネスモデルは日本のみならず、世界中で構築することは可能です。利益の追求ばかりではなく、困っている人を助け、人と人の理解や文化と文化の融合に役立ち、社会貢献に大きな意味があります。
【発明を実施するための最良の形態】
【００１１】本システムは通信サービスを提供する電話業者や情報の収集、管理を得意とするインターネットサービス業者または旅行業者と提携すれば、質の高いサービスを提供できると思います。
(57)【要約】【課題】  この発明によって、人類の文学的な、もしくはそれを超えた、総合的な想像力を高める。【解決手段】  この発明は、具体的にはコンピューターや電子計算機などのソフトとしてプログラミングすることや、あらゆる種類の籤引きなどの応用によって、ランダムに違う２つ以上の単語の組み合わせを獲得できるようにすることによって人々に新たな可能性を与える。例えば我が国の総単語数を７万語と想定した場合、違う２単語の組み合わせでは、単純に計算すると約７万×約７万＝約４９００億通りの組み合わせが出来る。それらを違う２単語、別々の３単語以上で表示や音声化させれば天文学的な組み合わせが出来る。それらの組み合わせを、新しい文学や概念や発想の参考にすれば、人文学的に、もしくはそれを超えた革新的な進歩が期待できる。【特許請求の範囲】
【請求項１】
単語の掛け合わせ技術
【発明の詳細な説明】
【技術分野】
【０００１】  本発明の属する技術分野は一つはコンピューター・ソフトである。そしてサイコロやルーレットの技術である。
【発明が解決しようとする課題】
【０００２】  この発明によって、人類の文学的な、もしくはそれを超えた、総合的な想像力を高める。
【課題を解決するための手段】
【０００３】  この発明は、具体的にはコンピューターや電子計算機などのソフトとしてプログラミングすることや、あらゆる種類の籤引きなどの応用によって、ランダムに違う２つ以上の単語の組み合わせを獲得できるようにすることによって人々に新たな可能性を与える。例えば我が国の総単語数を７万語と想定した場合、違う２単語の組み合わせでは、単純に計算すると約７万×約７万＝約４９００億通りの組み合わせが出来る。それらを違う２単語、別々の３単語以上で表示や音声化させれば天文学的な組み合わせが出来る。それらの組み合わせを、新しい文学や概念や発想の参考にすれば、人文学的に、もしくはそれを超えた革新的な進歩が期待できる。
【手続補正書】
【提出日】平成21年1月6日(2009.1.6)
【手続補正１】
【補正対象書類名】特許請求の範囲
【補正対象項目名】請求項１
【補正方法】変更
【補正の内容】
【請求項１】
複数の違う単語をランダムに表示する装置。
(57)【要約】      （修正有）【課題】歩道や商店街を移動時、現在地を音声信号にて確認する。【解決手段】歩道や商店街を移動時、現在地を音声信号にて確認する装置として、定点位置を明示する音声磁界発生装置を埋設敷設し、音声磁界発生装置によって発生した音声磁界から、信号受信部が誘導音声起電力を発生させ、イヤホンから音声として聴き取る。この装置によって、現在地明示が可能となり、知らない土地での歩行移動時にも、安心して間違いなく目的地に移動できる。【選択図】図１
2010157981.tif 000002
【特許請求の範囲】
【請求項１】
音声録音再生部と電力増幅部と磁界発生部を主構成とした、音声磁界発生装置。
【請求項２】
磁界発生部に電磁誘導磁界発生コイルを使用し、音声磁界を発生する音声磁界発生装置。
【発明の詳細な説明】
【技術分野】
【０００１】  本発明は、定点位置を明示する音声磁界発生装置。
【背景技術】
【０００２】  現在、このような装置は無く、歩行時に現在地がわからず不便が多かった。
【発明の開示】
【発明が解決しようとする課題】
【０００３】  このような装置は現有せず、歩行時に現在地がわからず不便が多かった。このような不便を解消するのが目的である。
【課題を解決するための手段】
【０００４】  本発明は、このような不便を解消するのが目的で、定点位置を明示する音声磁界発生装置は地面の所定の位置に埋設敷設し、常に微弱な音声磁界を発生させておく装置。【０００５】  受信装置は小型で、人が歩行移動時に携帯する。【０００６】  受信装置をベルトや靴等に取り付けて耳からイヤホンで聴く事も可能。【０００７】  電磁誘導方式の視覚障害者歩行支援システムには、定点位置に埋設敷設した音声磁界発生装置が、視覚障害者歩行支援補助装置として必ず必要である。
【発明の効果】
【０００８】  歩行移動時に、現在地が定点位置として確認され、この装置によって、知らない場所での歩行移動時に、安心して間違いなく目的地に移動でき、今までの不便さが解消出来る。
【発明を実施するための最良の形態】
【０００９】  本発明の実施の形態は、図１〜図３に基づいて説明する。【００１０】  図１は、音声磁界発生装置と受信部をセットで示したものである。この装置は、定点位置ポイントの確認装置として構成している。回路構成によって発生する定点位置等を示す事ができる目的の音声磁界発生が特許請求の範囲である。また、この装置の敷設については、歩道や商店街の所定の位置に敷設する。敷設方法として、地上や地下等何処にでも設置できるが、地面下に敷設すると邪魔にならない。【００１１】  図２は、音声磁界発生装置本体を示したものである。音声磁界発生装置から電磁誘導磁界発生コイルに音声信号を送ることにより、それに見合った音声磁界を発生させる事ができる。【００１２】  図３は、信号受信装置を示したものである。音声磁界発生装置によって発生した音声磁界から、信号受信部が誘導音声起電力を発生させ、信号増幅してイヤホンから音声として聴き取る原理構成である。
【図面の簡単な説明】
【図１】  音声磁界発生装置と格納容器図
【図２】  音声磁界発生装置の構成図
【図３】  信号受信装置
【符号の説明】  １  信号送出装置                    １０  信号受信部
２  電磁誘導磁界発生コイル          １１  イヤホン
３  リード線                        １２  地面（地表）
４  取付け枠
５  防水格納容器
６  水分浸透不可膜
７  格納容器上蓋
８  格納容器底蓋
９  人間
【図１】
2010157981.tif 000003
【図２】
2010157981.tif 000004
【図３】
2010157981.tif 000005
(57)【要約】      （修正有）【課題】分解を最大マージン分類器と結合することによりＮＭＦの分解を式の形で活用し、共同の更新方程式を公式化し、分解とともに最大マージン分類器のパラメーターを特定する新規方法を提供する。【解決手段】行列ベクターを分解する方法であって、非負値因数分解ＮＭＦと最大マージン分類器を組み合わせた費用関数を連続的反復で更新することにより最小化し、分解とともに最大マージン分類器のサポート・ベクターすべての指数を決定する。【選択図】図２
2010272113.tif 000002
【特許請求の範囲】
【請求項１】
2010272113.tif 000050
【請求項２】
2010272113.tif 000051
【請求項３】
2010272113.tif 000052
【請求項４】
2010272113.tif 000053
【請求項５】
2010272113.tif 000054
【請求項６】
2010272113.tif 000055
【請求項７】
2010272113.tif 000056
【請求項８】
2010272113.tif 000057
【請求項９】
2010272113.tif 000058
【請求項１０】
2010272113.tif 000059
【請求項１１】
2010272113.tif 000060
【請求項１２】
2010272113.tif 000061
【請求項１３】
2010272113.tif 000062
【請求項１４】
前記所定条件は所定エラー閾値未満である請求項１２に記載の非負値行列因数分解を特
定の行列に適用する方法。
【請求項１５】
2010272113.tif 000063
【請求項１６】
前記ステップ（ａ）乃至（ｈ）は所定の繰り返し回数が完了するまで繰り返される請求
項１０に記載の非負値行列因数分解を特定の行列に適用する方法。
【請求項１７】
2010272113.tif 000064
【発明の詳細な説明】
【技術分野】
【０００１】
本出願は35 U.S.C. §119(e)に基づき出願された米国仮出願番号61/179,854の特典を主
張し、引用により全体として本明細書に組み込まれる。
本発明はデータ分類用の最大マージン分類器を特定する分野に関し、具体的には大型セ
ットのデータ・ポイントを分析する際にこのような最大マージン分類器の特定を最適化す
る方法に向けられる。
【背景技術】
【０００２】
2010272113.tif 000003
【０００３】
2010272113.tif 000004
【０００４】
2010272113.tif 000005
【０００５】
2010272113.tif 000006
【０００６】
2010272113.tif 000007
【０００７】
2010272113.tif 000008
【０００８】
2010272113.tif 000009
【０００９】
2010272113.tif 000010
【先行技術文献】
【特許文献】
【００１０】
【特許文献１】米国特許第６９０７４２７号明細書
【発明の概要】
【発明が解決しようとする課題】
【００１１】
2010272113.tif 000011
【００１２】
2010272113.tif 000012
【課題を解決するための手段】
【００１３】
2010272113.tif 000013
【００１４】
2010272113.tif 000014
【００１５】
2010272113.tif 000015
【００１６】
2010272113.tif 000016
【００１７】
2010272113.tif 000017
【００１８】
2010272113.tif 000018
【００１９】
2010272113.tif 000019
【００２０】
2010272113.tif 000020
【００２１】
2010272113.tif 000021
【００２２】
2010272113.tif 000022
【図面の簡単な説明】
【００２３】
【図１】二次元空間における最大マージン分類器の例を示す図である。
【図２】最大マージン分類器を特定する関数を組み入れたNMFの本プロセスのフローチャートである。
【図３】試験目的の合成行列（Ftest）を示す図である。
【図４】試験目的の合成行列（Gtest）を示し、データ・ポイント1から100が大きさで示される1つのクラス、データ・ポイント101から200が2つ目のクラスにある。
【図５】比較の目的から回復行列（Frecovered）を合成行列（Ftest），の横に置いて示す図である。
【図６】比較の目的から回復行列（Grecovered）を合成行列（Gtest），の横に置いて示す図である。
【図７】回復ベクター（βrecovered）を示す図である。
【発明を実施するための形態】
【００２４】
2010272113.tif 000023
【００２５】
本発明のより完全な理解は添付図面と併せて以下の説明とクレームを参照することによ
り明らかになり、理解されよう。
【００２６】
好ましい実施形態の説明
2010272113.tif 000024
【００２７】
2010272113.tif 000025
【００２８】
2010272113.tif 000026
【００２９】
2010272113.tif 000027
【００３０】
2010272113.tif 000028
【００３１】
2010272113.tif 000029
【００３２】
2010272113.tif 000030
【００３３】
2010272113.tif 000031
【００３４】
2010272113.tif 000032
【００３５】
2010272113.tif 000033
【００３６】
2010272113.tif 000034
【００３７】
2010272113.tif 000035
【００３８】
2010272113.tif 000036
【００３９】
2010272113.tif 000037
【００４０】
2010272113.tif 000038
【００４１】
2010272113.tif 000039
【００４２】
2010272113.tif 000040
【００４３】
2010272113.tif 000041
【００４４】
2010272113.tif 000042
【００４５】
2010272113.tif 000043
【００４６】
2010272113.tif 000044
【００４７】
2010272113.tif 000045
【００４８】
2010272113.tif 000046
【００４９】
2010272113.tif 000047
【００５０】
2010272113.tif 000048
【００５１】
2010272113.tif 000049
【符号の説明】
【００５２】
１１、１３    超平面
１６、１８    マージン線
【図１】
2010272113.tif 000065
【図２】
2010272113.tif 000066
【図３】
2010272113.tif 000067
【図４】
2010272113.tif 000068
【図５】
2010272113.tif 000069
【図６】
2010272113.tif 000070
【図７】
2010272113.tif 000071
(57)【要約】【課題】ランプの灯室内に設けられた反射鏡による漏光で車両の側方から視認できるようにしたので、製造コストが上昇していた。【解決手段】ロービーム用ヘッドランプ１は、ハウジング１１内に設けられた光源１２、光源１２を中心として光源を囲むリフレクタ１３、リフレクタ１３の前面を覆いハウジング１１に固定されたレンズ１４、レンズ１４とリフレクタ１３との間に設けられた仕切壁としてのエクステンション１５よりなる。光源１２からの光線L2は漏光通過空間１７におけるエクステンション１５の裏面１５ａで反射され、開口１６を通じてレンズ１４の突出部１４ａのシボ１４ｂに漏光される。この結果、レンズ１４の突出部１４ａのシボ１４ｂは浮き上がる。【選択図】        図２
2010272393.tif 000002
【特許請求の範囲】
【請求項１】
車両の側面角隅に設けられた光源と、
該光源を中心として該光源を囲むリフレクタと、
該リフレクタの前面を覆うレンズと、
該レンズと前記リフレクタとの間に設けられた仕切壁としてのエクステンションと
を具備し、
前記レンズを前記車両の側面方向に突出させて該突出したレンズの部分の内面にシボを形成すると共に、前記リフレクタと前記エクステンションとの間に漏光通過空間を設け、
前記光源からの光線の一部を前記漏光通過空間における前記エクステンションの裏面で反射させて前記レンズのシボに漏光せしめるようにした車両用ランプ。
【請求項２】
前記エクステンションの前記裏面を凹凸にした請求項１に記載の車両用ランプ。
【請求項３】
前記エクステンションの前記裏面にシボを設けた請求項１に記載の車両用ランプ。
【請求項４】
前記エクステンションの前記裏面にリブを設けた請求項１に記載の車両用ランプ。
【発明の詳細な説明】
【技術分野】
【０００１】
本発明は、対向車、追従車、歩行者等が車両の前後、側方から視認できる車両用ランプに関する。
【背景技術】
【０００２】
自動車等の車両においては、車両の運転状況を対向車、追従車、歩行者等に知らせるために、種々の機能ランプ、たとえば、クリアランスランプ、コーナリングランプ、サイドターンシグナルランプ等が設けられている。これらの機能ランプは、車両の前方あるいは後方に設けられると共に車両の側方にも設けられており、この結果、部品点数が増加して保守点検上好ましくなかった。
【０００３】
部品点数を減少させるために、従来の車両用ランプは、車両の前方あるいは後方に設けられたランプの灯室内に反射鏡を設け、この反射鏡によって反射された光線を車両の側方に突出しているレンズの山型突出部に漏光させることにより車両の側方からも視認できるようにしていた（参照：特許文献１）。
【先行技術文献】
【特許文献】
【０００４】
【特許文献１】特開平４−３３４８０２号公報
【発明の概要】
【発明が解決しようとする課題】
【０００５】
しかしながら、上述の従来の車両用ランプにおいては、発光範囲を拡張するための反射鏡を取付けるので、その取付け作業に伴い製造コストが上昇するという課題があった。
【課題を解決するための手段】
【０００６】
上述の課題を解決するために、本発明に係る車両用ランプは、車両の側面角隅に設けられた光源と、光源を中心として光源を囲むリフレクタと、リフレクタの前面を覆うレンズと、レンズとリフレクタとの間に設けられた仕切壁としてのエクステンションとを具備し、レンズを車両の側面方向に突出させて突出したレンズの部分の内面にシボを形成すると共に、リフレクタとエクステンションとの間に漏光通過空間を設け、光源からの光線の一部を漏光通過空間におけるエクステンションの裏面で反射させてレンズのシボに漏光せしめるようにしたものである。これにより、光源が点灯すると、一部の漏光がレンズの突出部分のシボが浮き上がるので、車両の側方からも視認できる。尚、シボとは表面に細かい凹凸加工が施された状態を指す。
【０００７】
また、エクステンションの裏面に、凹凸、シボあるいはリブを設ける。これにより、エクステンションの裏面で反射する漏光量を調整できる。
【発明の効果】
【０００８】
本発明によれば、発光範囲を拡張するための反射鏡が不要となるので、製造コストを低減できる。
【図面の簡単な説明】
【０００９】
【図１】本発明に係る車両用ランプを示す正面図である。
【図２】図１の車両用ランプのII-II線断面図である。
【発明を実施するための形態】
【００１０】
図１は本発明に係る車両用ランプの正面図である。
【００１１】
図１の車両用ランプにおいては、ロービーム用ヘッドランプ１、ハイビーム用ヘッドランプ２が車両の側面角隅部に設けられている。また、ロービーム用ヘッドランプ１にはエクステンションの開口１６及びレンズ（アウターレンズ）のシボ１４ｂが設けられている。この結果、ヘッドランプ１の点灯時に開口１６を通じてシボ１４ｂに照射された光線はシボ１４ｂにより拡散される。これにより、レンズ１４（図２）上でシボ１４ｂ部分が点灯して観察される。シボの無い部分では拡散作用は生じないのでレンズ１４（図２）上ではシボ１４ｂ部分のみが光り、浮き上がって観察される。
【００１２】
図２は図１の車両用ランプのII-II線断面図である。
【００１３】
図２に示すように、ロービーム用ヘッドランプ１は、ハウジング１１内に設けられた光源１２、光源１２を中心として光源を囲むリフレクタ１３、リフレクタ１３の前面を覆いハウジング１１に固定されたレンズ１４、レンズ１４とリフレクタ１３との間に設けられた仕切壁としてのエクステンション１５よりなる。
【００１４】
また、レンズ１４は車両の側面方向に突出させ、その突出部１４ａはハウジング１１に固定されており、レンズ１４の突出部１４ａの内面には図１のシボ１４ｂが形成されている。
【００１５】
さらに、リフレクタ１３とエクステンション１５との間に漏光通過空間１７を設ける。
【００１６】
光源１２からの光線L1はレンズ１４から車両の前方へ照光される。他方、光源１２からの光線L2は漏光通過空間１７におけるエクステンション１５の裏面１５ａで反射され、開口１６を通じてレンズ１４の突出部１４ａのシボ１４ｂに漏光される。この結果、レンズ１４の突出部１４ａのシボ１４ｂは浮き上がる。
【００１７】
さらに、エクステンション１５の裏面１５ａに凹凸、シボあるいはリブ（図示せず）を設けることにより、光源１２からの光線L2の光量を調整できる。
【００１８】
上述の実施の形態においては、ロービーム用ヘッドランプの光線の漏光を車両の側方から視認できるようにしたが、他の車両用ランプたとえば機能ランプにも適用できる。
【符号の説明】
【００１９】
１：ロービーム用ヘッドランプ
２：ハイビーム用ヘッドランプ
１１：ハウジング
１２：光源
１３：リフレクタ
１４：レンズ
１４ａ：突出部
１４ｂ：シボ
１５：エクステンション
１５ａ：裏面
１６：開口
１７：漏光通過空間
L1、L2：光線
【図１】
2010272393.tif 000003
【図２】
2010272393.tif 000004
(57)【要約】【課題】  浴槽内で入浴中に、人体の異常を感知して、浴槽内の湯水を、素早く排水する制御システムを提供する。【解決手段】天井に取り付けられているセンサ−が、入浴中の人体に異常を感じたとき、緊急信号が、発信装置から、送信されるが、その信号を、図８番の受信機が、受信すると、ギャドモ−タ−が回り出す、それによって非常時排水栓が、開けられて、浴槽内の湯水が、排水される事になる。【選択図】図１
2010272096.tif 000002
【特許請求の範囲】
【請求項１】
浴室の天井に取り付けてある、センサ−が入浴中の人体に異常を感知した時に、異常信号を送信する、発信装置と、異常信号を受信した浴槽側のシステムが、ギヤドモ−タ−を駆動させて、浴槽内の湯水を、短時間で排水する、天井にある、センサ−は、レ−ザ−光線によって、入浴中の人体から、心拍数を読み取り異常を判断して異常信号、送信する制御システム。
【請求項２】
天井に取り付けるセンサ−は、レ−ザ−光線を利用し常に入浴中の人体を、監視出来るが、洗い場にあっても、人体の移動にに合わせ、センサ−内部の鏡、ＮＯ．１５の角度を、調節する事により、浴室内の人体の異常を、監視するシステム。
【発明の詳細な説明】
【技術分野】
【０００１】  本発明は、入浴中に、センサ−によって、人体に異常を感知した時、浴槽内の湯水を、強制排水し家族の救助を求め、溺死事故を防ぐ為の、装置を提供する。
【背景技術】
【０００２】  核家族化が進み今日では、老人だけの世帯が多くなっている、入浴中の事故は本人だけではなく、介護人も大変気になるものである、一人暮らしの老人はなおさらである。【０００３】  このような老人だけの生活には、入浴する時の不安が大きい、自身が入浴中に、突発的な病気により、誰も気づかず、最悪の事態にも、なりかねない。【０００４】  溺死事故は、老人だけの、問題ではないが、体調不良のとき本人も意識を失い危険な状態となる。
【発明の概要】
【発明が解決しようとする課題】
【０００５】  このような危険な状態の時、例えば心拍数が５０〜１００の間を越えた場合に緊急装置を始動させて、救助を求めるものである。
【課題を解決するための手段】
【０００６】  緊急信号を受信した、緊急排水装置は浴槽の緊急排水栓を、モ−タ−によって持ち上げ、浴槽内の、湯水を、強制排水する事になる。
【発明の効果】  この様に、強制排水する事によって、湯水は、少なくなり、溺死事故を未然に防ぐことになる。そして家族のもとえ、緊急連絡が、自動的に行くことになる。【０００７】
【図面の簡単な説明】
【０００８】
【図１】  は実施形態のシステムを示す浴室の断面側図面
【発明を実施するための形態】
【０００９】    次に、本発明の実態形態を図面に基づいて説明する。
図１に示す浴室は一般家庭のもので、１は浴槽、１２は入浴中の人体である。１９のレ−ザ−装置から常にレ−ザ−光が人体に当てられているので、人体の皮膚の表面から、常に心拍数を読み取る事ができる。心拍数が異常値を示した時に、異常信号が発信される。人体が洗い場に移動すると、レ−ザ−光も、１５の反射鏡の反射角度を変える事により、人体の動きに合わせ、追随する事になる。
【００１０】  浴槽側の８が異常信号を、受信すると、６のギャ−ドモ−タ−が、回り出し緊急排水栓を開ける事になり、浴槽内の湯水が、強制的に排水される。
【００１１】  ２１の発信装置からの緊急信号は、８の受信機と同時に、２２の通信装置にも、知らされる、２２の通信装置は、前もってセットされた、電話番号に、自動的に、緊急メッセ−ジが送信される。
【符号の説明】
【００１２】    １・・・浴槽
２・・・緊急排水栓
３・・・緊急用巻き上げよう鎖
４・・・巻き上げようプ−リ−
５・・・電動シャフト
６・・・ギャドモ−タ−
７・・・防水用カバ−
８・・・緊急信号受信機
９・・・電源コ−ド取り出し口
１０・・・通常排水栓
１１・・・通常排水用鎖
１２・・・入浴中の人体
１３・・・人体の頭部
１４・・・センサ−の透明カバ−
１５・・・レ−ザ−の反射用鏡  ＮＯ１
１６・・・レ−ザ−の反射用鏡  ＮＯ２
１７・・・レ−ザ−受光板
１８Ａ・・・レ−ザ−光
１８・・・レ−ザ−反射光
１９・・・レ−ザ−装置
２０・・・制御システム
２１・・・異常発信装置
２２・・・異常通信装置
【図１】
2010272096.tif 000003
(57)【要約】【課題】  従来、マスクを装着した時、顔面とマスクの周囲の隙間からウイルス及び花粉等のアレルギー物質などが侵入するのを防ぐため、マスクの立体化や、当てガーゼなどで防ぐ事が知られている。【解決手段】  本発明は、不織布、ガーゼ、布などのシートに、綿、スポンジ、不織布などの弾力があるものをリング状に形成して貼付したものを、鼻の周囲を囲うようにマスクの内側に装着して使用するマスク補助具。【選択図】図３
2010125302.tif 000002
【特許請求の範囲】
【請求項１】
本発明は、不織布、ガーゼ、布などのシートに、綿、スポンジなどの弾力があるものをリング状に貼付したものを、鼻の周囲を囲うようにマスクの内側に装着して使用することを特徴とするマスク補助具。
【発明の詳細な説明】
【発明の詳細な説明】
【技術分野】
【０００１】  本発明は、マスクを装着したとき、顔面とマスクの周囲の隙間からウイルス及び花粉等のアレルギー物質などが侵入するのを防ぐ事を目的としたものである。
【背景技術】
【０００２】  従来、マスクを装着した時、顔面とマスクの周囲の隙間からウイルス及び花粉等のアレルギー物質などが侵入するのを防ぐため、マスクの立体化（特許文献１、３）や、当てガーゼ（特許文献１）などで防ぐ事が多く知られている。【０００３】
【特許文献１】特許公開平０７−３２８１３５
【特許文献２】特許公開２００２−７４８
【特許文献３】特許公開２００７−４４１４０
【発明の開示】
【発明が解決しようとする課題】
【０００４】  それでも次のような問題点がある。
（１）人間の顔面の形状は複雑でありマスクと顔面との間にどうしても隙間が生じる。
（２）マスクの立体化だけでは防ぎきれない。
（３）当てガーゼ、フイルター等では息苦しさが否めない。
（４）会話をしたり、笑ったり、運動したりしても表情が微妙に変化してマスクと顔面  との間に隙間が生じる
本発明は以上の問題点を解決しようとするものである
【課題を解決するための手段】
【０００５】  本発明は、不織布、ガーゼ、布などのシートに、綿、スポンジ、不織布などの弾力があるものをリング状に形成して貼付したものを、鼻の周囲を囲うようにマスクの内側に装着して使用することで、問題を解決するマスク補助具である。
【発明の効果】
【０００６】  本発明は、次のような効果がある。
（１）マスクを装着した時、マスクと顔面の間でクッションの働きをして隙間を塞ぎ笑  ったり、会話をしたり、運動したりして顔の表情が微妙に変化して隙間が生じても、ウ  イルス及び花粉などのアレルギー物質の侵入を防ぐ効果がある。
（２）マスクの内側に隠れるので美観が良い。
（３）鼻腔内の乾燥を防ぎ、保湿効果がある。
（４）使用時の着脱が簡単に出来る。
（５）会話、運動などでのマスクのズレを防止できる。
（６）殆どのマスクに装着ができる。
【発明を実施するための最良の形態】
【０００７】  以下、本発明の実施の形態を説明する。
不織布及び布などのシート（２）と、綿、スポンジ、不織布などの弾力があるもので鼻の周りを囲うようリング状に配置をしたクッション（１）の構成よりなっている。
本発明を使用するときは、上記マスク補助具をマスクの内側に装着して一緒に使用する。
以上を特徴とするマスク補助具。
【図面の簡単な説明】
【０００８】
【図１】  本発明の平面図
【図２】  本発明のＡ−Ａ’断面図
【図３】  本発明の分解斜視図
【図４】  本発明のマスクへの装着斜視図
【符号の説明】
【０００９】  （１）クッション
（２）シート
（３）マスク
【図１】
2010125302.tif 000003
【図２】
2010125302.tif 000004
【図３】
2010125302.tif 000005
【図４】
2010125302.tif 000006
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
本発明は、不織布、ガーゼ、布などのシートに、綿、スポンジなどの弾力があるものを顔面の凹凸にあわせてリング状にして貼付したものを、鼻の周囲を囲うようにマスクの内側に装着して使用することを特徴とするマスク補助具
【請求項２】
本発明は、不織布、ガーゼ、布などのシートがズレて移動しないようにマスクに接する面に両面粘着テープで固定して使用することを特徴とする［請求項１］に記載のマスク補助具。